(57)【要約】【課題】  ほぼ直角のコ−ナ−の縦の場所に、取付先に残るネジ止めキズを１つ又は、既設ネジ穴が利用できる場合においては、新たなネジ止めキズを１つも残すことなく、１つのネジ止めで堅固に取付けできて、原状復帰を容易にする架台及びその取付方法を提供する。【解決手段】支持部１aが１つ以上と、取付プレ−ト部１dが、平面で見てほぼ直角の関係で構成され、そして支持部１aの支持辺１b及びその延長線上と、取付プレ−ト部１dの取付辺１e及びその延長線上が平面で見てほぼ直角に交わっていて、かつ取付辺１e及びその延長線上の外側には何も出ていない形の架台の取付プレ−ト部１dに、ネジ止め用横長穴１h又は、円状の穴又は凹凸加工を穴周りに施した横長穴１hを、取付辺１eから内側に１ミリ以上肉厚を残し、取付プレ−ト部１dの縦の範囲に少なくとも１ヶ所設けた架台１を、１つのネジ止めで堅固に取付けできるようにして、原状復帰を容易にした。【選択図】  図１
2008206530.tif 000002
【特許請求の範囲】
【請求項１】
物を乗せる又は物を乗せたりはさんだりできる、支持辺がある支持部が１つ以上と、取付辺とほぼフラットな取付面が少なくとも一面はある平面状の取付プレ−ト部が、平面で見てほぼ直角の関係で構成され、そしてその支持部の支持辺及びその延長線上と、その取付プレ−ト部の取付辺及びその延長線上が、平面で見てほぼ直角に交わっていて、かつ取付辺及びその延長線上の外側には何も出ていない形の架台の取付プレ−ト部に、ネジ止め用横長穴又は、円状の穴又は凹凸加工を穴周りに施した横長穴を、支持部に対しほぼ直角にネジ止めがされるように、取付辺から内側に１ミリ以上肉厚を残し、取付プレ−ト部の縦の範囲に少なくとも１ヶ所設けたことを特徴とする架台。
【請求項２】
ほぼ直角のコ−ナ−の縦の場所に、取付プレ−ト部の取付辺を密着させ、取付プレ−ト部のネジ止め用横長穴又は、円状の穴又は凹凸加工を穴周りに施した横長穴に、取付ネジ又は既設ネジを通し、既設ネジ穴に締め込むか又は、取付先にネジ穴を新設する形で直接絞め込むことにより、堅固な取付けになることを特徴とする、請求項１記載の架台の取付方法。
【請求項３】
ネジ止めをする時横長穴の場合、横長穴周りに対し取付ネジの頭部が広く食い込んできくように、頭部の面積が大きい取付ネジを使用して締め込むか、ワッシャ−等のかませ物を、取付ネジ又は既設ネジと横長穴との間に入れて締め込むか、又食い込みが得られない場合は、ワッシャ−等のかませ物が横長穴周りとかみ合うように、凹凸加工が施されているかませ物を、取付ネジ又は既設ネジと、横長穴又は凹凸加工を穴周りに施した横長穴との間に入れて締め込むなどの、ずれ防止がなされることを特徴とする、請求項２記載の架台の取付方法。
【発明の詳細な説明】
【技術分野】
【０００１】
本発明はほぼ直角のコ−ナ−の縦の場所に、架台を１つのネジ止めで堅固に取付けできて、原状復帰を容易する架台及びその取付方法に関する。
【背景技術】
【０００２】
従来のネジ止めによる架台は、取付先がほぼ直角のコ−ナ−の縦の場所であっても、支持部が取付プレ−ト部の取付面に対し手前に来る形になっており、支持部に対し平行にネジ止めするように、取付プレ−ト部のネジ止め用の穴が設けられているため、堅固な取付けをする場合、ネジの締め込みだけで取付けすることとなり、架台１つに対し複数のネジの締め込みを必要としていた。（特許文献１参照。）。
【０００３】
又フック式で架台を固定するタイプであっても、フックをかけるレ−ルや台座が必要となり、その取付け及び造作にはやはり複数のネジ固定や、ひっかけ穴を造作する必要があった。（特許文献２及び特許文献３参照。）。
【０００４】
又突っ張り棒等を取付けて、キズをつけずに簡易的に架台や棚として、利用されているケ−スもあった。（特許文献４参照。）。
【０００５】
しかしながら、上記従来の架台では架台を堅固に取付けするために、複数のネジ止めや造作をしなければならず、取付先に残るネジ止め等のキズが大きい又は複数となるため、原状復帰を求められる所では、原状復帰が困難になることから架台を取付けできないという問題があった。
【０００６】
又突っ張り方式であれば原状復帰の問題はクリアできるが、架台の取付けが簡易的となり堅固な取付けという面では問題があった。
【０００７】
【特許文献１】特開２００３−３３４１２３号公報
【０００８】
【特許文献２】特開平８−１９４８６号公報
【０００９】
【特許文献３】特開平８−２３９９９６号公報
【００１０】
【特許文献４】特開平９−２６２１４７号公報
【発明の開示】
【発明が解決しようとする課題】
【００１１】
本発明は上記課題を解決しようとするもので、その目的はほぼ直角のコ−ナ−の縦の場所に限定されるが、取付先に残るネジ止めキズを１つ又は、既設ネジ穴が利用できる場合においては、新たなネジ止めキズを１つも残すことなく、堅固に取付けできて原状復帰を容易にする、架台及びその取付方法を提供することにある。
【課題を解決するための手段】
【００１２】
上記目的を達成するために本発明は、物を乗せる又は物を乗せたりはさんだりできる、支持辺がある支持部が１つ以上と、取付辺とほぼフラットな取付面が少なくとも一面はある平面状の取付プレ−ト部が、平面で見てほぼ直角の関係で構成され、そしてその支持部の支持辺及びその延長線上と、その取付プレ−ト部の取付辺及びその延長線上が、平面で見てほぼ直角に交わっていて、かつ取付辺及びその延長線上の外側には何も出ていない形の架台の取付プレ−ト部に、ネジ止め用横長穴又は、円状の穴又は凹凸加工を穴周りに施した横長穴を、支持部に対しほぼ直角にネジ止めがされるように、取付辺から内側に１ミリ以上肉厚を残し、取付プレ−ト部の縦の範囲に少なくとも１ヶ所設けたことを特徴としている架台である。
【００１３】
そしてここに請求項１記載の架台を平面で見て支持部が横向きで、取付プレ−ト部が縦向きの方向にあることを前提に各部の定義を下記に述べる。
【００１４】
そこでまず取付プレ−ト部及び支持部の範囲は、プレ−トとして架台の外側にくる長手の縦辺の内側にくる支持部と交わる取付プレ−ト部の内辺に、その上又は下又は上下両方の縦部をあわせた縦部及びその延長線上も含む縦部と、架台の外側にくる長手の縦辺及びその延長線上も含む縦部の間の範囲が取付プレ−ト部の範囲で、それ以外の部分が支持部となり、又三角形以上の多角形の一枚物のプレ−トで中をくりぬいた形で架台を構成した場合は、くりぬいた時にできる支持部と交わる辺の内、架台の外側にくる取付辺とする長手の縦辺よりの取付プレ−ト部の内辺に、その上下の縦部をあわせた縦部及びその延長線上も含む縦部と、架台の外側にくる取付辺とする長手の縦辺及びその延長線上も含む縦部の間の範囲が取付プレ−ト部の範囲で、それ以外の部分が支持部となる。又三角形以上の多角形の一枚物のプレ−トのみで構成された架台の場合は、凸部も含む外側の横辺が支持部でそれ以外が取付プレ−ト部となる。
【００１５】
次に取付プレ−ト部の外側の形状は、３角形以上の多角形状か円状又は、円状と角の組み合わせの形状をしたプレ−トである。
【００１６】
次に取付プレ−ト部の向きについては、支持部に対しほぼ直角の向きになる方向が取付プレ−ト部の縦となる。
【００１７】
次に取付プレ−ト部の取付辺とは、上記で定義した所の取付プレ−ト部の外側にくる長手の縦辺の事を指し、その辺は凹凸なしの縦直線であることが好ましいが、凸部が複数ある場合は凸部を結ぶ外側にくる縦直線が取付辺となり、又凸部が１つの場合で凸部の外側に縦直線があり、その縦直線が取付プレ−ト部の縦全体の五割以上ある場合は、その凸部の外側の縦直線が取付辺となる。
【００１８】
次に支持部の支持辺とは、上記で定義した所の支持部の上辺又は下辺又は上下両方の辺を指し、又取付プレ−ト部の上又は下の横部と、前記辺が直接又は延長線上で揃う場合は、揃っているすべての部分を指し、その辺は凹凸なしの横直線であることが好ましいが、凹凸が複数ある場合は、凹部又は凸部どうしを結ぶ横直線及びその延長線上が、取付辺及びその延長線上と平面で見てほぼ直角に交わる形であればその横直線を支持辺とし、又凹凸以外の所で横直線があり、その横直線及びその延長線上が、取付辺及びその延長線上と前記同様ほぼ直角に交わる形であればその横直線も支持辺となり、更に凹部又は凸部が一つの場合で、凹部又は凸部に横直線があって、その横直線及びその延長線上が、取付辺及びその延長線上と前記同様ほぼ直角に交わる形であればその横直線も支持辺とし、又凹部又は凸部が一つで、凹部又は凸部に横直線が無くても凹部又は凸部以外の所に横直線があって、その横直線及びその延長線上が、取付辺及びその延長線上と前記同様ほぼ直角に交わる形であれば、その場合はその横直線が支持辺になる。
【００１９】
次に取付面は、取付プレ−ト部の内辺にその上又は下又は上下両方の縦部をあわせた縦部及びその延長線上も含む縦部と、取付辺及びその延長線上も含む縦部の間の範囲の面を指し、その面の形状は両面ともほぼフラットであることが好ましいが、架台自体の補強等による突起については、取付プレ−ト部の一番厚い所の厚みの四割迄の厚みの突起は、あっても良い。
【００２０】
次にほぼ直角とする範囲は、９０度を境に前後５度以内で、ほぼフラットとする範囲は、定規等完全フラットな板状の物の面を、補強等を除くほぼフラットとする面に当てて、がたつく幅が補強等を除く取付プレ−ト部の一番厚い所の厚みの四割迄はほぼフラットとし、又補強等を除く取付プレ−ト部の厚い所と薄い所の厚みの差においても、その差が補強等を除く取付プレ−ト部の一番厚い所の厚みの四割迄はほぼフラットとする。
【００２１】
又上記の取付プレ−ト部に設ける、ネジ止め用横長穴又は、円状の穴又は凹凸加工を穴周りに施した横長穴の位置については、取付辺から５ミリ位内側で取付プレ−ト部の縦の３分の１の範囲を、取付プレ−ト部の縦方向のどちらかの端から内側に取り、その範囲の中に設けることが好ましい。
【００２２】
又支持部と取付プレ−ト部の組み合わせにおいての成形方法は、一枚物で成型するか、取付プレ−ト部と支持部とを補強も含めネジで固定するか、又は取付プレ−ト部と支持部とをフックで接合する方法があるが、その中でも一枚物で成型又は、取付プレ−ト部と支持部とを補強も含めネジで固定するのが好ましい。
【００２３】
したがって上記構成の架台を、壁面等平面状の面と面が直接及びその面と面の延長線上又は、片方の面の延長線上と面が交わった内角がほぼ直角になる内角の縦の所や、内角がほぼ直角で内面が平面状のL字型やコの字型部材等いわゆる額縁等の内角の縦の所、すなわち請求項２でいうところのほぼ直角のコ−ナ−の縦の場所に、架台の取付辺を密着させ、取付プレ−ト部のネジ止め用横長穴又は、円状の穴又は凹凸加工を穴周りに施した横長穴に、取付ネジ又は内角がほぼ直角で内面が平面状のL字型やコの字型部材等いわゆる額縁等を固定しているネジ、すなわち請求項２及び請求項３でいうところの既設ネジを通し、その額縁等を固定している既設ネジのネジ穴に締め込むか又は、取付先にネジ穴を新設する形で直接絞め込むことにより、締め込む力とネジを支点に架台の取付辺を取付先の面が支える作用と、取付ネジ又は既設ネジ又はワッシャ−等かませ物の横側又は、ワッシャ−等かませ物の凸部がきくことで堅固な支持になることから、１つのネジ止めで堅固に取付けできる取付方法を特徴としている。
【００２４】
又ネジ止めをする時横長穴の場合、取付位置によっては取付ネジと横長穴との間に隙間ができ、ずれることが想定されるため、横長穴周りに対し取付ネジの頭部が広く食い込んできくように、頭部の面積が大きい取付ネジを使用して締め込むか、ワッシャ−等のかませ物を、取付ネジ又は既設ネジと横長穴との間に入れて締め込むか、又食い込みが得られない場合は、ワッシャ−等のかませ物が横長穴周りとかみ合うように、凹凸加工が施されているかませ物を、取付ネジ又は既設ネジと、横長穴又は凹凸加工を穴周りに施した横長穴との間に入れて締め込むなどの、ずれ防止がなされる取付方法を特徴としている。
【００２５】
更に取付時必要に応じて、取付プレ−ト部下部の取付面に両面テ−プを貼り、取付先と接着することで安定性が高まり、又取付先によっては取付プレ−ト部の取付面と取付先との間に隙間ができるため、隙間に応じたスペ−サ−を、取付プレ−ト部の取付面の隙間のある所に、両面テ−プ等で取付面に固定し、取付先との隙間を埋めた形で取付けすることで、がたつきが抑えられより好ましい構成の取付けとなる。
【発明の効果】
【００２６】
本発明によれば架台の機械的な取付けとなるネジ止めが１つとなり、取付先に残るネジ止めキズを１つ又は、既設ネジ穴が利用できる場合その穴を利用するため、新たなネジ止めキズを１つも残さない形になることから、原状復帰が困難で取付けできないとされる所に、架台が取付けられるようになる。
【００２７】
又取付ネジの使用が１つでよいため、取付けも複数のネジ止めを必要とする架台に比べ簡単に行えて、さらに手軽な取付けと原状復帰が容易な割りに、つっぱり方式のように簡易的ではなく、機械的な面と物理的作用とが組み合わされ堅固な架台として利用できる。
【発明を実施するための最良の形態】
【００２８】
以下に本発明の実施の形態及び実施例を添付図面に基づいて詳細に説明する。図１及び図２は、本発明の一実施形態に係る請求項１記載の架台１の、構造及び形状を示す平面図及び斜視図であり、平面で見て支持部１aが横向きで、取付プレ−ト部１dが縦向きのほぼ直角の関係の構成にあって、支持部１aの支持辺１bと取付プレ−ト部１dの取付辺１eが平面で見てほぼ直角に交わっていて、かつ取付辺１eの外側には何も出ていない形の架台１の取付プレ−ト部１dに、ネジ止め用横長穴１hを、取付プレ−ト部１dの取付辺１eから内側に１ミリ以上肉厚を残し、取付プレ−ト部１dの縦の３分の１の範囲を、支持部１a側の取付プレ−ト部１dの縦方向の端から内側に取り、その範囲の中に１ヶ所設けた構成になっている。
【００２９】
図３は前記架台取付けの一実施例を示す斜視図であり、ほぼ直角のコ−ナ−の縦の場所に当たる額縁２は、通常木枠３に複数の額縁固定用ネジ２aで固定されており、その中の好みの位置の額縁固定用ネジ２aを外し、架台１の取付プレ−ト部１dの取付辺１eを、つば部２ｂに密着させ、ネジ止め用横長穴１hと、額縁固定用ネジ２aのネジ穴を合わせ、その穴とネジ止め用横長穴１hに、取付ネジ１j又は額縁固定用ネジ２aを、ワッシャ−１nを通してから入れて締め込んで取付けられている。
【００３０】
図４は前記架台取付けの一実施例を示す斜視図であり、ほぼ直角のコ−ナ−の縦の場所に当たる壁４の取付辺を受ける面４bに、架台１の取付プレ−ト部１dの取付辺１eを密着させ、ネジ止め用横長穴１h又は円状の穴に、取付ネジ１jをワッシャ−１nを通してから入れて、取付壁面４aにネジ穴を新設する形で直接締め込んで取付けられている。
【００３１】
図５及び図６は前記架台を利用した一実施例を示す斜視図であり、ほぼ直角のコ−ナ−の縦の場所に当たる額縁２に取付けられた架台１にクリップ扇５を取付けて、窓のある換気扇のない風呂場に換気扇代わりに利用したり、ほぼ直角のコ−ナ−の縦の場所に当たる壁４に架台１を対に取付け、棚板６を架台1の上に取付けることで、棚受けとして利用することも可能となるところを表している。
【００３２】
図７及び図８は、前記架台のより好ましい構成の取付けの一実施例を示す図であり、ほぼ直角のコ−ナ−の縦の場所に当たる額縁２に取付ける時、取付プレ−ト部１d下部の取付面１gに両面テ−プ１kを貼り、取付先の額縁２と接着することで安定性を高めることができ、又ほぼ直角のコ−ナ−の縦の場所に当たる額縁２に取付けると、額縁２の厚み分架台1の取付プレ−ト部１dの取付面１gと、木枠３との間に隙間が生じがたつくため、隙間を埋めるスペ−サ−１mを取付面１gに両面テ−プ等で固定し取付けることで、がたつきを抑えることができる。そして両面テ−プ１k及びスペ−サ−1mについては、取付先の形状を考慮し必要に応じて使用するのが良い。
【００３３】
その他ずれ防止策の一実施例として図９及び図１０は、ネジ止め用横長穴１hに取付ネジ１j又は、額縁固定用ネジ２aを絞め込んだ時、ネジの頭部が横長穴周り１pに食い込む場合を示すものであり、横長穴周り１pに広く食い込むように、ネジ止め用横長穴１hにワッシャ−１nを、取付ネジ１j又は額縁固定用ネジ２aに通してから入れて、額縁固定用ネジ２aのネジ穴に締め込んでいるところを表している。
【００３４】
又図１１及び図１２は横長穴周り１pが硬く、食い込まない場合の方法を示すものであり、凹凸加工を穴周りに施した横長穴１hに、凹凸加工済みかませ物１rを、取付ネジ１j又は額縁固定用ネジ２aに通してから入れて、額縁固定用ネジ２aのネジ穴に締め込むことで、凹凸加工済み横長穴周り１sと凹凸加工済みかませ物１r双方が、かみ合っているところを表している。
【００３５】
従って上記の方法を行えば、取付ネジ１j又は額縁固定用ネジ２aを締め込んだ時、ワッシャ−１nないし凹凸加工済みかませ物１rが、横長穴周り１pないし凹凸加工済み横長穴周り１sに対し抵抗となり、ずれない堅固な取付けとなる。
【００３６】
以上の内容はあくまで本発明の一実施形態に関するものであって、本発明が上記内容のみに限定されることを意味されるものではない。例えば図４で示すほぼ直角のコ−ナ−の縦の場所に当たる壁４に取付ける時は、既設ネジ穴が原則利用できないため、直接取付ネジ１jを締め込むこととなり、既設ネジ穴にネジ止め用の穴を合わせる調整が必要なくなることから、ネジ止め用の穴は横長穴ではなく円状の穴でも良い。
【００３７】
又取付プレ−ト部１dの縦の３分の１の範囲を、非支持部側の取付プレ−ト部の縦方向の端より内側に取り、その範囲の中にネジ止め用横長穴１h又は、円状の穴又は凹凸加工を穴周りに施した横長穴１hを設け、架台１の上下を入れ替え支持部１aが下にくるように取付けて、上の空間に制限がある所に対応させても良い。
【００３８】
又架台１の支持部１aや取付プレ−ト部１dは、取付先の強度を考えた上で利用目的に合わせ、長さ及び幅や厚みを増減させて、支える加重を増減させても良いし、支持部１aは前記同様取付先の強度を考えた上で、利用目的に合わせ数を増やしても良い。
【００３９】
又図９及び図１０で示す横長穴周り１pが、取付ネジ１j又は額縁固定用ネジ２aを締め込んだ時、ネジの頭部が食い込む形であれば、ワッシャ−１nの代わりに頭部の面積が大きい取付ネジを使用しても良い。
【００４０】
又横長穴周り１pにワッシャ−１nの食い込みがあまければ、ワッシャ−１nの代わりに、凹凸加工済みかませ物１rを使用して凸部をきかせても良く、他のことにおいても本発明の要旨を逸脱しない範囲においては、色々な形態で実施し得ることは勿論である。
【産業上の利用可能性】
【００４１】
本発明は原状復帰が困難という問題から、あきらめられていた所に有効であり、その中でも特に制約のある賃貸物件に架台が取付けできれば、図５及び図６で示す利用例の他にも様々な形の利用が期待でき、原状復帰が容易で堅固に取付けできる本発明の架台であれば、既存の架台が取付けできない所に取付けが可能となってくる。
【図面の簡単な説明】
【００４２】
【図１】本発明に係る架台本体の平面図である。
【図２】図１の架台本体の斜視図である。
【図３】本発明に係る架台の取付例で、出入り口に使用されているほぼ直角のコ−ナ−の縦の場所に当たる額縁に取付けた状態の斜視図である。
【図４】本発明に係る架台の取付例で、ほぼ直角のコ−ナ−の縦の場所に当たる壁に取付けた状態の斜視図である。
【図５】本発明に係る架台の利用例で、架台にクリップ扇を取付けた状態の斜視図である。
【図６】本発明に係る架台の利用例で、架台を対に使い棚受けとして利用した状態の斜視図である。
【図７】本発明に係る架台のより好ましい構成の取付例で、安定用両面テ−プと、隙間埋め用スペ−サ−が取付けられた架台を、ほぼ直角のコ−ナ−の縦の場所に当たる額縁に取付けた状態を示す、架台支持部側から見た図である。
【図８】図７を架台の平面側から見た図である。
【図９】本発明に係る架台のずれ防止策の実施例で、ネジ止め用横長穴周りにワッシャ−が食い込んだ所を示す、取付ネジ又は既設ネジ部の縦断面図である。
【図１０】図９を架台の平面側から見た図である。
【図１１】本発明に係る架台のずれ防止策の実施例で、ネジ止め用凹凸加工済み横長穴周りに、凹凸加工済みかませ物がかみ合っている状態を示す、取付ネジ又は既設ネジ部の縦断面図である。
【図１２】図１１を架台の平面側から見た図である。
【符号の説明】
【００４３】
１  架台
１a  支持部
１b  支持辺
１c  取付プレ−ト部の内辺の上の縦部
１d  取付プレ−ト部
１e  取付辺
１f  取付プレ−ト部の内辺
１g  取付面
１h  ネジ止め用横長穴
１j  取付ネジ
１k  両面テ−プ
１m  スペ−サ−
１n  ワッシャ−
１p  横長穴周り
１r  凹凸加工済みかませ物
１s  凹凸加工済み横長穴周り
２  額縁
２a  額縁固定用ネジ（既設ネジ）
２b  つば部
３  木枠
４  壁
４a  取付壁面
４b  取付辺を受ける面
５  クリップ扇
６  棚板
【図１】
2008206530.tif 000003
【図２】
2008206530.tif 000004
【図３】
2008206530.tif 000005
【図４】
2008206530.tif 000006
【図５】
2008206530.tif 000007
【図６】
2008206530.tif 000008
【図７】
2008206530.tif 000009
【図８】
2008206530.tif 000010
【図９】
2008206530.tif 000011
【図１０】
2008206530.tif 000012
【図１１】
2008206530.tif 000013
【図１２】
2008206530.tif 000014
【手続補正書】
【提出日】平成19年5月18日(2007.5.18)
【手続補正１】
【補正対象書類名】特許請求の範囲
【補正対象項目名】全文
【補正方法】変更
【補正の内容】
【特許請求の範囲】
【請求項１】
物を乗せる又は物を乗せたりはさんだりできる、支持辺がある1つ以上の支持部と、
取付辺とほぼフラットな取付面が少なくとも一面はある、平面状の取付プレ−ト部とが、平面で見てほぼ直角の関係で構成され、その支持辺及びその延長線上と、その取付辺及びその延長線上が、平面で見てほぼ直角に交わっていて、かつ前記取付辺及びこの延長線上の外側には何も出ていない形の架台の前記取付プレ−ト部において、
前記支持部に対しほぼ直角にネジ止めがされるように、前記取付辺から前記取付プレ−ト部の内辺迄で、前記支持部に向いて前記取付プレ−ト部側つまり横内側に１ミリ以上肉厚を残し、かつ、前記取付プレ−ト部の支持部側の上部より縦の3分の１の範囲に、ネジ止め用横長穴又は、円状の穴又は凹凸加工を穴周りに施した横長穴を１ヶ所設け、
内角がほぼ直角の額縁のコ−ナ−のつば部に、前記取付辺を密着させ、前記横長穴に、取付ネジ又は既設ネジを通し、この既設ネジ穴に締め込むか又は、前期額縁にネジ穴を新設する形で直接絞め込むことにより、１つのネジ止めで堅固に取付けることを特徴とする架台。
【請求項２】
物を乗せる又は物を乗せたりはさんだりできる、支持辺がある1つ以上の支持部と、
取付辺とほぼフラットな取付面が少なくとも一面はある、平面状の取付プレ−ト部とが、平面で見てほぼ直角の関係で構成され、その支持辺及びその延長線上と、その取付辺及びその延長線上が、平面で見てほぼ直角に交わっていて、かつ前記取付辺及びこの延長線上の外側には何も出ていない形の架台の前記取付プレ−ト部において、
前記支持部に対しほぼ直角にネジ止めがされるように、前記取付辺から前記取付プレ−ト部の内辺迄で、前記支持部に向いて前記取付プレ−ト部側つまり横内側に１ミリ以上肉厚を残し、かつ、前記取付プレ−ト部の非支持部側の下部より縦の3分の１の範囲に、ネジ止め用横長穴又は、円状の穴又は凹凸加工を穴周りに施した横長穴を１ヶ所設け、
内角がほぼ直角の額縁のコ−ナ−のつば部に、前記支持部が前記横長穴より下側にくるように上下を入れ替えて前記取付辺を密着させ、前記横長穴に、取付ネジ又は既設ネジを通し、この既設ネジ穴に締め込むか又は、前期額縁にネジ穴を新設する形で直接絞め込むことにより、１つのネジ止めで堅固に取付けることを特徴とする架台。
【請求項３】
ネジ止めをする時横長穴の場合、横長穴周りに対し取付ネジの頭部が広く食い込んできくように、頭部の面積が大きい取付ネジを使用して締め込むか、ワッシャ−等のかませ物を、取付ネジ又は既設ネジと横長穴との間に入れて締め込むか、又食い込みが得られない場合は、ワッシャ−等のかませ物が横長穴周りとかみ合うように、凹凸加工が施されているかませ物を、取付ネジ又は既設ネジと、横長穴又は凹凸加工を穴周りに施した横長穴との間に入れて締め込むなどの、ずれ防止がなされることを特徴とする、請求項1又は２記載の架台の取付方法。
【手続補正２】
【補正対象書類名】明細書
【補正対象項目名】００１２
【補正方法】変更
【補正の内容】
【００１２】
上記目的を達成するために本発明は、物を乗せる又は物を乗せたりはさんだりできる、
支持辺がある1つ以上の支持部と、取付辺とほぼフラットな取付面が少なくとも一面はある、平面状の取付プレ−ト部とが、平面で見てほぼ直角の関係で構成され、その支持辺及びその延長線上と、その取付辺及びその延長線上が、平面で見てほぼ直角に交わっていて、かつ前記取付辺及びこの延長線上の外側には何も出ていない形の架台の前記取付プレ−ト部において、
前記支持部に対しほぼ直角にネジ止めがされるように、前記取付辺から前記取付プレ−ト部の内辺迄で、前記支持部に向いて前記取付プレ−ト部側つまり横内側に１ミリ以上肉厚を残し、かつ、前記取付プレ−トの支持部側の上部より縦の3分の１の範囲に、ネジ止め用横長穴又は、円状の穴又は凹凸加工を穴周りに施した横長穴を１ヶ所設け、
内角がほぼ直角の額縁のコ−ナ−のつば部に、前記取付辺を密着させ、前記横長穴に、取付ネジ又は既設ネジを通し、この既設ネジ穴に締め込むか又は、前期額縁にネジ穴を新設する形で直接絞め込むことにより、１つのネジ止めで堅固に取付けることを特徴とする架台と、
物を乗せる又は物を乗せたりはさんだりできる、支持辺がある1つ以上の支持部と、取付辺とほぼフラットな取付面が少なくとも一面はある、平面状の取付プレ−ト部とが、平面で見てほぼ直角の関係で構成され、その支持辺及びその延長線上と、その取付辺及びその延長線上が、平面で見てほぼ直角に交わっていて、かつ前記取付辺及びこの延長線上の外側には何も出ていない形の架台の前記取付プレ−ト部において、
前記支持部に対しほぼ直角にネジ止めがされるように、前記取付辺から前記取付プレ−ト部の内辺迄で、前記支持部に向いて前記取付プレ−ト部側つまり横内側に１ミリ以上肉厚を残し、かつ、前記取付プレ−トの非支持部側の下部より縦の3分の１の範囲に、ネジ止め用横長穴又は、円状の穴又は凹凸加工を穴周りに施した横長穴を１ヶ所設け、
内角がほぼ直角の額縁のコ−ナ−のつば部に、前記支持部が前記横長穴より下側にくるように上下を入れ替えて前記取付辺を密着させ、前記横長穴に、取付ネジ又は既設ネジを通し、この既設ネジ穴に締め込むか又は、前期額縁にネジ穴を新設する形で直接絞め込むことにより、１つのネジ止めで堅固に取付けることを特徴としている架台である。
【手続補正３】
【補正対象書類名】明細書
【補正対象項目名】００２３
【補正方法】変更
【補正の内容】
【００２３】
したがって上記構成の架台を、壁面等平面状の面と面が直接及びその面と面の延長線上又は、片方の面の延長線上と面が交わった内角がほぼ直角になる内角の縦の所や、内角がほぼ直角で内面が平面状のL字型やコの字型部材等いわゆる額縁の内角の縦の所、すなわち請求項１又は２でいうところの内角がほぼ直角の額縁のコ−ナ−のつば部に、架台の取付辺を密着させ、取付プレ−ト部のネジ止め用横長穴又は、円状の穴又は凹凸加工を穴周りに施した横長穴に、取付ネジ又は内角がほぼ直角で内面が平面状のL字型やコの字型部材等いわゆる額縁を固定しているネジ、すなわち請求項１又は２並びに請求項３でいうところの既設ネジを通し、前記額縁を固定している既設ネジのネジ穴に締め込むか又は、前期額縁にネジ穴を新設する形で直接絞め込むことにより、締め込む力とネジを支点に架台の取付辺を取付先の面が支える作用と、取付ネジ又は既設ネジ並びに、ワッシャ−の横側又は、かませ物の凸部がきくことで堅固な支持になることから、１つのネジ止めで堅固に取付けできる取付方法を特徴としている。